(57)【特許請求の範囲】
【請求項１】
連続紙に対して白黒画像を出力する画像出力装置と、
前記画像出力装置に対して１頁毎に印刷指示を送信する制御装置とを有し、
前記画像出力装置は、
連続紙の先頭頁に対する印刷状態を確認してから後続の印刷を実行したい場合に、印刷状態を確認するために押下する印刷結果確認釦と、
転写位置から印刷結果確認位置までの距離を１頁あたりの印刷長で除算することにより、印刷済みの連続紙の先頭頁が印刷結果確認位置までに到達するために必要な印刷結果確認頁数を算出する算出手段と、
前記印刷結果確認釦が押下されて所定時間経過する前に、前記制御装置からの印刷開始指示を受信した場合、前記算出手段により算出された印刷結果確認頁数の最終頁の印刷処理が行われている最中に、前記制御装置に対して印刷停止を要求する印刷停止要求手段と、を備え、
前記制御装置は、前記印刷停止要求手段から印刷停止の要求を受信した場合に、次頁の印刷指示の送信を中止し、
前記画像出力装置は、前記制御装置が次頁の印刷指示の送信を中止した状態で所定期間が経過した場合に、印刷動作を停止する
画像形成システム。
【請求項２】
連続紙に対して白黒画像を出力する画像出力装置と、
前記画像出力装置に対して１頁毎に印刷指示を送信する制御装置とを有し、
前記画像出力装置は、
連続紙の先頭頁に対する印刷状態を確認してから後続の印刷を実行したい場合に、印刷状態を確認するために押下する印刷結果確認釦と、
転写位置から印刷結果確認位置までの距離を１頁あたりの印刷長で除算することにより、印刷済みの連続紙の先頭頁が印刷結果確認位置までに到達するために必要な印刷結果確認頁数を算出する算出手段と、
前記印刷結果確認釦が押下されて所定時間経過する前に、前記制御装置からの印刷開始指示を受信した場合、前記算出手段により算出された印刷結果確認頁数の最終頁の印刷処理が行われている最中に、前記制御装置に対して印刷停止を要求した後、所定時間が経過すると前記制御装置に対して印刷開始の要求と印刷停止の要求を行う処理を繰り返すことにより間欠印刷を実行する間欠印刷実行手段とを備え、
前記制御装置は、前記印刷停止要求手段から印刷停止の要求を受信した場合に、次頁の印刷指示の送信を中止し、
前記画像出力装置は、前記制御装置が次頁の印刷指示の送信を中止した状態で所定期間が経過した場合に、印刷動作を停止する
画像形成システム。
【請求項３】
前記画像出力装置は、前記算出手段が印刷結果確認頁数を算出する際に使用する転写位置から印刷結果確認位置までの距離を変更するための変更手段をさらに備えた請求項１または２記載の画像形成システム。
【請求項４】
前記画像出力装置は、前記算出手段により算出された印刷結果確認頁数に対して、指定された頁数を加算する加算手段をさらに備えた請求項１または２記載の画像形成システム。
【請求項５】
前記印刷結果確認釦が、前記画像出力装置の定着器に配置されている請求項１から４のいずれか１項記載の画像形成システム。
【請求項６】
連続紙に対して白黒画像を出力する画像出力装置を制御するコンピュータに実行させるためのプログラムであって、
転写位置から印刷結果確認位置までの距離を１頁あたりの印刷長で除算することにより、印刷済みの連続紙の先頭頁が印刷結果確認位置までに到達するために必要な印刷結果確認頁数を算出するステップと、
連続紙の先頭頁に対する印刷状態を確認してから後続の印刷を実行したい場合に、印刷状態を確認するために押下する印刷結果確認釦が押下されて所定時間経過する前に、前記画像出力装置に対して１頁毎に印刷指示を送信する制御装置からの印刷開始指示を受信した場合、算出された印刷結果確認頁数の最終頁の印刷処理が行われている最中に、前記制御装置に対して印刷停止を要求するステップと、
印刷停止を要求してから前記制御装置が次頁の印刷指示の送信を中止した状態で所定期間が経過した場合に、印刷動作を停止するステップと、
をコンピュータに実行させるためのプログラム。
【請求項７】
連続紙に対して白黒画像を出力する画像出力装置を制御するコンピュータに実行させるためのプログラムであって、
転写位置から印刷結果確認位置までの距離を１頁あたりの印刷長で除算することにより、印刷済みの連続紙の先頭頁が印刷結果確認位置までに到達するために必要な印刷結果確認頁数を算出するステップと、
連続紙の先頭頁に対する印刷状態を確認してから後続の印刷を実行したい場合に、印刷状態を確認するために押下する印刷結果確認釦が押下されて所定時間経過する前に、前記画像出力装置に対して１頁毎に印刷指示を送信する制御装置からの印刷開始指示を受信した場合、算出された印刷結果確認頁数の最終頁の印刷処理が行われている最中に、前記制御装置に対して印刷停止を要求した後、所定時間が経過すると前記制御装置に対して印刷開始の要求と印刷停止の要求を行う処理を繰り返すことにより間欠印刷を実行するステップと、
印刷停止を要求してから前記制御装置が次頁の印刷指示の送信を中止した状態で所定期間が経過した場合に、印刷動作を停止するステップと、
をコンピュータに実行させるためのプログラム。
【発明の詳細な説明】
【技術分野】
【０００１】
本発明は、画像形成システムおよびプログラムに関する。
【背景技術】
【０００２】
特許文献１には、ジョブのページ数を認識して、そのページ数で印刷を停止するようにしたプリンタシステムが開示されている。
【０００３】
特許文献２には、印字結果を確認する場合に、逆改行を行って印字結果が見やすい位置まで用紙を移動するようにしたプリンタが開示されている。
【０００４】
特許文献３には、連続紙に印刷を行う連続紙プリンタにおいて、最終ページを印字後に、この最終ページを本体の外部から見える位置まで搬送して待機するような搬送処理を行うことが開示されている。
【先行技術文献】
【特許文献】
【０００５】
【特許文献１】特開２００１−１１３７９１号公報
【特許文献２】特開平９−１７４９８１号公報
【特許文献３】特許第３８６１６６０号公報
【発明の概要】
【発明が解決しようとする課題】
【０００６】
本発明の目的は、印刷された連続紙の先頭頁を印刷状態の確認が可能な印刷結果確認位置に容易に停止させることが可能な画像形成システムおよびプログラムを提供することである。
【課題を解決するための手段】
【０００７】
［画像形成システム］
請求項１に係る本発明は、連続紙に対して白黒画像を出力する画像出力装置と、
前記画像出力装置に対して１頁毎に印刷指示を送信する制御装置とを有し、
前記画像出力装置は、
連続紙の先頭頁に対する印刷状態を確認してから後続の印刷を実行したい場合に、印刷状態を確認するために押下する印刷結果確認釦と、
転写位置から印刷結果確認位置までの距離を１頁あたりの印刷長で除算することにより、印刷済みの連続紙の先頭頁が印刷結果確認位置までに到達するために必要な印刷結果確認頁数を算出する算出手段と、
前記印刷結果確認釦が押下されて所定時間経過する前に、前記制御装置からの印刷開始指示を受信した場合、前記算出手段により算出された印刷結果確認頁数の最終頁の印刷処理が行われている最中に、前記制御装置に対して印刷停止を要求する印刷停止要求手段と、を備え、
前記制御装置は、前記印刷停止要求手段から印刷停止の要求を受信した場合に、次頁の印刷指示の送信を中止し、
前記画像出力装置は、前記制御装置が次頁の印刷指示の送信を中止した状態で所定期間が経過した場合に、印刷動作を停止する
画像形成システムである。
【０００９】
請求項２に係る本発明は、連続紙に対して白黒画像を出力する画像出力装置と、
前記画像出力装置に対して１頁毎に印刷指示を送信する制御装置とを有し、
前記画像出力装置は、
連続紙の先頭頁に対する印刷状態を確認してから後続の印刷を実行したい場合に、印刷状態を確認するために押下する印刷結果確認釦と、
転写位置から印刷結果確認位置までの距離を１頁あたりの印刷長で除算することにより、印刷済みの連続紙の先頭頁が印刷結果確認位置までに到達するために必要な印刷結果確認頁数を算出する算出手段と、
前記印刷結果確認釦が押下されて所定時間経過する前に、前記制御装置からの印刷開始指示を受信した場合、前記算出手段により算出された印刷結果確認頁数の最終頁の印刷処理が行われている最中に、前記制御装置に対して印刷停止を要求した後、所定時間が経過すると前記制御装置に対して印刷開始の要求と印刷停止の要求を行う処理を繰り返すことにより間欠印刷を実行する間欠印刷実行手段とを備え、
前記制御装置は、前記印刷停止要求手段から印刷停止の要求を受信した場合に、次頁の印刷指示の送信を中止し、
前記画像出力装置は、前記制御装置が次頁の印刷指示の送信を中止した状態で所定期間が経過した場合に、印刷動作を停止する
画像形成システムである。
【００１１】
請求項３に係る本発明は、前記画像出力装置が、前記算出手段が印刷結果確認頁数を算出する際に使用する転写位置から印刷結果確認位置までの距離を変更するための変更手段をさらに備えた請求項１または２記載の画像形成システムである。
【００１２】
請求項４に係る本発明は、前記画像出力装置が、前記算出手段により算出された印刷結果確認頁数に対して、指定された頁数を加算する加算手段をさらに備えた請求項１または２記載の画像形成システムである。
【００１３】
請求項５に係る本発明は、前記印刷結果確認釦が、前記画像出力装置の定着器に配置されている請求項１から４のいずれか１項記載の画像形成システムである。
【００１４】
［プログラム］
請求項６に係る本発明は、連続紙に対して白黒画像を出力する画像出力装置を制御するコンピュータに実行させるためのプログラムであって、
転写位置から印刷結果確認位置までの距離を１頁あたりの印刷長で除算することにより、印刷済みの連続紙の先頭頁が印刷結果確認位置までに到達するために必要な印刷結果確認頁数を算出するステップと、
連続紙の先頭頁に対する印刷状態を確認してから後続の印刷を実行したい場合に、印刷状態を確認するために押下する印刷結果確認釦が押下されて所定時間経過する前に、前記画像出力装置に対して１頁毎に印刷指示を送信する制御装置からの印刷開始指示を受信した場合、算出された印刷結果確認頁数の最終頁の印刷処理が行われている最中に、前記制御装置に対して印刷停止を要求するステップと、
印刷停止を要求してから前記制御装置が次頁の印刷指示の送信を中止した状態で所定期間が経過した場合に、印刷動作を停止するステップと、
をコンピュータに実行させるためのプログラムである。
【００１５】
請求項７に係る本発明は、連続紙に対して白黒画像を出力する画像出力装置を制御するコンピュータに実行させるためのプログラムであって、
転写位置から印刷結果確認位置までの距離を１頁あたりの印刷長で除算することにより、印刷済みの連続紙の先頭頁が印刷結果確認位置までに到達するために必要な印刷結果確認頁数を算出するステップと、
連続紙の先頭頁に対する印刷状態を確認してから後続の印刷を実行したい場合に、印刷状態を確認するために押下する印刷結果確認釦が押下されて所定時間経過する前に、前記画像出力装置に対して１頁毎に印刷指示を送信する制御装置からの印刷開始指示を受信した場合、算出された印刷結果確認頁数の最終頁の印刷処理が行われている最中に、前記制御装置に対して印刷停止を要求した後、所定時間が経過すると前記制御装置に対して印刷開始の要求と印刷停止の要求を行う処理を繰り返すことにより間欠印刷を実行するステップと、
印刷停止を要求してから前記制御装置が次頁の印刷指示の送信を中止した状態で所定期間が経過した場合に、印刷動作を停止するステップと、
をコンピュータに実行させるためのプログラムである。
【発明の効果】
【００１６】
請求項１に係る本発明によれば、本構成を有しない場合と比較して、印刷された連続紙の先頭頁を印刷状態の確認が可能な印刷結果確認位置に容易に停止させることが可能な画像形成システムを提供することができる。
【００１８】
請求項２に係る本発明によれば、本構成を有しない場合と比較して、印刷された連続紙の先頭頁を印刷状態の確認が可能な印刷結果確認位置に容易に停止させるとともに、後続頁の印刷状態を順次確認することが可能な画像形成システムを提供することができる。
【００２０】
請求項３に係る本発明によれば、請求項１または２に係る本発明により得られる効果に加えて、印刷された連続紙の先頭頁が停止する位置を調整することが可能な画像形成システムを提供することができる。
【００２１】
請求項４に係る本発明によれば、請求項１または２に係る本発明により得られる効果に加えて、印刷された連続紙の先頭頁以外の印刷状態を確認することが可能な画像形成システムを提供することができる。
【００２２】
請求項５に係る本発明によれば、請求項１から４のいずれか１項に係る本発明により得られる効果に加えて、定着処理が行われる前の印刷状態を確認することが可能な画像形成システムを提供することができる。
【００２３】
請求項６に係る本発明によれば、本構成を有しない場合と比較して、印刷された連続紙の先頭頁を印刷状態の確認が可能な印刷結果確認位置に容易に停止させることが可能なプログラムを提供することができる。
【００２４】
請求項７に係る本発明によれば、本構成を有しない場合と比較して、印刷された連続紙の先頭頁を印刷状態の確認が可能な印刷結果確認位置に容易に停止させるとともに、後続頁の印刷状態を順次確認することが可能なプログラムを提供することができる。
【図面の簡単な説明】
【００２５】
【図１】本発明の一実施形態の連続紙印刷システム１０のシステム構成を示す図である。
【図２】本発明の一実施形態の連続紙印刷システム１０の外観を示す図である。
【図３】本発明の一実施形態の連続紙印刷システム１０のカバーを開いた状態での外観を示す図である。
【図４】図３に示したサブ操作パネル５２の拡大図である。
【図５】本発明の一実施形態の連続紙印刷システム１０の定着器８１周辺の拡大図である。
【図６】本発明の一実施形態の連続紙印刷システム１０の印刷機構の概略を説明するための図である。
【図７】画像出力装置１、コントローラ２、メイン操作パネル５１、サブ操作パネル５２および印刷結果確認スイッチ６１の関係を説明するための図である。
【図８】本発明の一実施形態における連続紙印刷システム１０のハードウェア構成を示すブロック図である。
【図９】本発明の一実施形態における連続紙印刷システム１０の機能構成を示すブロック図である。
【図１０】画像出力装置１において印刷結果確認スイッチ６１が押された場合の動作を説明するためのフローチャートである。
【図１１】画像出力装置１において印刷結果確認スイッチ６１が押された場合の動作を説明するためのフローチャートである。
【図１２】画像出力装置１がコントローラ２から印刷指示を受信した際の動作を説明するためのフローチャートである。
【図１３】画像出力装置１がコントローラ２から印刷指示を受信した際の動作を説明するためのフローチャートである。
【図１４】印刷結果確認スイッチ６１を使用せずに印刷された連続紙の先頭ページを印刷結果確認位置で停止させる場合の、画像出力装置１とコントローラ２との間で行われる動作を説明するためのシーケンスチャートである。
【図１５】印刷結果確認スイッチ６１を使用して印刷された連続紙の先頭ページを印刷結果確認位置で停止させる場合の、画像出力装置１とコントローラ２との間で行われる動作を説明するためのシーケンスチャートである。
【図１６】印刷追加スイッチ６２が設けられた場合の定着器８１周辺の拡大図である。
【発明を実施するための形態】
【００２６】
次に、本発明の実施の形態について図面を参照して詳細に説明する。
図１は本発明の一実施形態の連続紙印刷システム１０のシステム構成図である。
【００２７】
本発明の一実施形態の連続紙印刷システム１０は、ネットワーク３０を介して端末装置２０と接続されている。また、本実施形態の連続紙印刷システム１０は、連続紙に対して画像を出力する画像出力装置１と、この画像出力装置１の印刷動作を制御するためのコントローラ（制御装置）２とにより構成されている。
【００２８】
次に、本実施形態の連続紙印刷システム１０の外観を図２を参照して説明する。本実施形態の連続紙印刷システム１０には、図２に示すようにメイン操作パネル５１が設けられている。このメイン操作パネル５１は図１に示したコントローラ２に接続されており、メイン操作パネル５１を操作することにより、コントローラ２に対して印刷動作の開始／停止等の各種指示を行うことができるようになっている。
【００２９】
次に、本実施形態の連続紙印刷システム１０のカバーを開いた状態での外観を図３に示す。図３に示されるように、本実施形態の連続紙印刷システム１０の上カバー８２を開くと定着器８１が現れ、この定着器８１を通過する前の連続紙の印刷状態が確認可能なようになっている。この印刷状態が確認可能な位置を印刷結果確認位置として表現する。
【００３０】
このような構成により、印刷異常があったときに定着前に確認できるので、連続紙の掛け直しが容易になる、無駄な電力消費を防止するといった効果がある。
【００３１】
また、本実施形態の連続紙印刷システム１０において左前カバー８３を開くとサブ操作パネル５２が現れる。このサブ操作パネル５２を拡大したものを図４に示す。図４に示されるように、サブ操作パネル５２には、印刷開始スイッチ７１および印刷停止スイッチ７２が設けられている。このサブ操作パネル５２は、図１に示した画像出力装置１に接続されている。
【００３２】
印刷開始スイッチ７１は、画像出力装置１に対して印刷開始を指示するためのスイッチであり、印刷停止スイッチ７２は、画像出力装置１に対して印刷停止を指示するためのスイッチである。この印刷開始スイッチ７１または印刷停止スイッチ７２が押下されると、画像出力装置１は、印刷開始要求または印刷停止要求をコントローラ２に送信し、コントローラ２による制御に基づいて印刷動作の開始または停止を行う。
【００３３】
なお、サブ操作パネル５２には、この印刷開始スイッチ７１および印刷停止スイッチ７２以外の各種スイッチが設けられているが、ここでは説明を簡単にするために省略する。
【００３４】
次に、本実施形態の連続紙印刷システム１０の定着器８１周辺の拡大図を図５に示す。この定着器８１には、印刷結果確認スイッチ（印刷結果確認釦）６１が設けられている。なお、この印刷結果確認スイッチ６１は、定着器８１に直接設けられていなくても、定着器８１の近傍に設けるようにしても良い。
【００３５】
この印刷結果確認スイッチ６１は、連続紙の最初のページに対する印刷状態を確認してから後続の印刷を実行したい場合に、印刷状態を確認するために押下するスイッチである。
【００３６】
印刷ジョブの印刷準備ができた際に、この印刷結果確認スイッチ６１を押下することにより印刷モードが通常印刷モードから印刷結果確認モードとなり、印刷が開始された後に印刷された連続紙の先頭ページが印刷結果確認位置で停止するような制御が行われる。
【００３７】
次に、本実施形態の連続紙印刷システム１０の印刷機構の概略を図６を参照して説明する。
この図６に示した連続紙印刷システム１０では、感光ドラム８４は矢印方向に所定の回転速度で回転している。そして、感光ドラム８４は、帯電器８５により帯電された後に、ＬＥＤやレーザ光等により静電潜像が形成される。そして、感光ドラム８４上に形成された静電潜像はトナーにより現像され、図示する転写位置において連続紙上に転写される。そして、連続紙上に転写されたトナー画像は印刷結果確認位置を通過した後に定着器８１により連続紙に定着される。その後、印刷された連続紙は外部の後処理装置に搬送されたり、スイングスタッカ８６により処理されて内部のスタッカ等に収納される。
【００３８】
次に、画像出力装置１、コントローラ２、メイン操作パネル５１、サブ操作パネル５２および印刷結果確認スイッチ６１の関係を図７を参照して説明する。
【００３９】
本実施形態の連続紙印刷システム１０では、メイン操作パネル５１はコントローラ２に接続され、サブ操作パネル５２および印刷結果確認スイッチ６１は画像出力装置２に接続されている。そして、上記では説明していないが、メイン操作パネル５１にも、タッチパネル上の操作スイッチとして印刷開始スイッチおよび印刷停止スイッチが設けられている。また、サブ操作パネル５２には、図４に示したように、印刷開始スイッチ７１および印刷停止スイッチ７２が設けられている。
【００４０】
そして、コントローラ２から画像出力装置１に対する指示として、印刷開始を予告するための通知である印刷開始指示や、印刷データの準備が整ったため印刷の準備を行うよう指示するための印刷準備指示や、１ページ分の印刷処理を指示するための印刷指示が行われる。
【００４１】
また、画像出力装置１からコントローラ２に対しては、印刷開始を要求するための印刷開始要求や、印刷停止を要求するための印刷停止要求が送信される。さらに、画像出力装置１からコントローラ２に対しては、コントローラ２の印刷準備指示に対応して、印刷準備が完了して印刷が可能になったことを通知するための印刷準備完了通知や、印刷指示に対応して、指示された１ページ分の印刷が完了したことを通知するための印刷完了通知が送信される。さらに、画像出力装置１からコントローラ２に対しては、追加の印刷指示が無いため印刷動作を停止し始めたことを通知するための印刷停止開始通知や、印刷停止が完了して待機状態となったことを通知するための印刷停止完了通知が送信される。
【００４２】
次に、本実施形態の画像出力装置１のハードウェア構成を図８に示す。
画像出力装置１は、図８に示されるように、ＣＰＵ１１、メモリ１２、ハードディスクドライブ（ＨＤＤ）等の記憶装置１３、コントローラ２との間でデータの送信及び受信を行う通信インタフェース（ＩＦ）１４、ユーザインタフェース（ＵＩ）装置１５、プリントエンジン１６を有する。これらの構成要素は、制御バス１７を介して互いに接続されている。
【００４３】
ＣＰＵ１１は、メモリ１２または記憶装置１３に格納された制御プログラムに基づいて所定の処理を実行して、画像出力装置１の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４４】
図９は、上記の制御プログラムが実行されることにより実現される画像出力装置１の機能構成を示すブロック図である。
【００４５】
本実施形態の画像出力装置１は、図９に示されるように、通信ＩＦ１４と、プリントエンジン１６と、サブ操作パネル５２と、印刷結果確認スイッチ６１と、印刷結果確認ページ数算出部３１と、設定部３２と、印刷処理部３３とを備えている。
【００４６】
印刷結果確認ページ数算出部３１は、印刷開始後に印刷された連続紙が印刷結果確認位置までに到達するために必要な印刷結果確認ページ(頁）数を算出する。具体的には、印刷結果確認ページ数算出部３１は、転写位置から印刷結果確認位置までの距離を１ページあたりの印刷長で除算することにより、印刷された連続紙が印刷結果確認位置までに到達するために必要な印刷結果確認ページ数を算出する。
【００４７】
設定部３２は、印刷結果確認ページ数算出部３１に対して、印刷結果確認ページ数を算出する際に使用する転写位置から印刷結果確認位置までの距離を変更するような設定を行う。また、設定部３２は、印刷結果確認ページ数算出部３１に対して、算出された印刷結果確認ページ数に指定されたページ数を加算するような設定を行う。例えば、設定部３２は、算出された印刷結果確認ページ数に対して常に１ページ加算するような設定を行う。
【００４８】
印刷処理部３３は、通信ＩＦ１４を介してコントローラ２との間でデータの送受信を行い、コントローラ２から指示された印刷データが連続紙上に印刷されるようにプリントエンジン１６を制御して印刷処理を実行する。
【００４９】
また、印刷処理部３３は、通常印刷モードでは、コントローラ２からの印刷指示がなくなるまで印刷処理を継続する。しかし、所定条件下で印刷結果確認スイッチ６１が押下され印刷結果確認モードになった場合、印刷処理部３３は、印刷開始から印刷結果確認ページ算出部３１により算出された印刷結果確認ページ数分の印刷処理が行われるとコントロール２に対して印刷停止を要求する。
【００５０】
つまり、印刷処理部３３は、印刷結果確認モードとなった場合には、印刷開始から印刷結果確認ページ数分の印刷処理が行われると、コントローラ２に対してサブ操作パネル５２の印刷停止スイッチ７２が押されたのと同様の通知を行う。
【００５１】
次に、本実施形態の連続紙印刷システム１０の動作を図面を参照して詳細に説明する。
【００５２】
先ず、画像出力装置１において印刷結果確認スイッチ６１が押された場合の動作について図１０、図１１のフローチャートを参照して説明する。
【００５３】
図１０に示すように、印刷結果確認スイッチ６１が押下されると、印刷処理部３３では、予め設定されたタイマ値をセットする（ステップＳ１０１）。このタイマ値は時間経過に伴って減算される。そして、印刷処理部３３は、通信ＩＦ１４を介して印刷開始要求をコントローラ２に送信する（ステップＳ１０２）。すると、この印刷開始要求を受信したコントローラ２では、印刷開始を予告するための印刷開始指示を画像出力装置１に返信する。
【００５４】
そして、図１１に示すように、画像出力装置１がコントローラ２からの印刷開始指示を受信した際のタイマ値が０になっている場合には（ステップＳ２０１においてｙｅｓ）、印刷処理部３３は、通常印刷モードとなる（ステップＳ２０２）。また、ステップＳ２０１においてタイマ値が０でない場合、つまり印刷処理部３３がタイマ値をセットしてから一定の時間経過する前に印刷指示が返信されてきた場合、印刷処理部３３は、印刷結果確認モードとなる（ステップＳ２０３）。
【００５５】
次に、実際の印刷動作において画像出力装置１がコントローラ２から印刷指示を受信した際の動作を図１２、図１３のフローチャートを参照して説明する。
【００５６】
図１２に示すように、画像出力装置１がコントローラ２から１ページ目の印刷指示を受信した際に、画像出力装置１が印刷結果確認モードとなっている場合（ステップＳ３０１においてｙｅｓ）、印刷処理部３３では、印刷結果確認ページ数算出部３１により算出された印刷結果確認ページ数をセットする（ステップＳ３０２）。また、印刷確認結果確認モードではなく通常印刷モードの場合（ステップＳ３０１においてｎｏ）、印刷処理部３３では、印刷結果確認ページ数はクリアされる（ステップＳ３０２）。そして、図１３のフローチャートに示すような印刷実行処理が開始される。
【００５７】
印刷実行処理では、画像出力装置１では、コントローラ２からの印刷指示を受信すると（ステップＳ４０２）、その印刷指示に基づいて１ページ分の印刷処理が実行される（ステップＳ４０３）。なお、印刷指示が無い状態で所定期間が経過すると（ステップＳ４０１においてｙｅｓ）、画像出力装置１では、印刷動作を停止し（ステップＳ４０７）、その後待機状態となる（ステップＳ４０８）。
【００５８】
また、印刷処理部３３では、１ページ分の印刷処理を実行後に、現在の状態が印刷結果確認モードであるか否かを判定し（ステップＳ４０４）、印刷結果確認モードである場合には、印刷結果確認ページ数分の印刷が行われた否かを判定する（ステップＳ４０５）。そして、印刷結果確認ページ数分の印刷が未だ完了していない場合には、印刷処理部３３では、コントローラ２からの印刷指示に基づく印刷実行処理を継続する。ステップＳ４０５において印刷結果確認ページ数分の印刷が完了したと判定した場合には、印刷処理部３３は、コントローラ２に対して印刷停止要求を送信する（ステップＳ４０６）。
【００５９】
この印刷処理部３３からの印刷停止要求を受信したコントローラ２では、次ページの印刷指示の送信を中止する。そのため、コントローラ２から画像出力装置１に対して印刷指示が送信されなくなる。その状態で所定期間が経過すると（ステップＳ４０１においてｙｅｓ）、画像出力装置１では、印刷動作を停止し（ステップＳ４０７）、その後待機状態となる（ステップＳ４０８）。
【００６０】
次に、画像出力装置１とコントローラ２との間で行われる動作を図１４、図１５のシーケンスチャートを参照して説明する。図１４は、印刷結果確認スイッチ６１を使用せずに印刷された連続紙の先頭ページを印刷結果確認位置で停止させる場合の動作を説明するためのシーケンスチャートである。また、図１５は、印刷結果確認スイッチ６１を使用して印刷された連続紙の先頭ページを印刷結果確認位置で停止させる場合の動作を説明するためのシーケンスチャートである。なお、以下の記載では、説明を簡単にするために２ページ分の印刷が行われた時点で印刷動作を停止させることにより、印刷済みの先頭ページが印刷結果確認位置に到達するものとして説明を行なう。
【００６１】
先ず、図１４を参照して、印刷結果確認スイッチ６１を使用せずに、サブ操作パネル５２の印刷開始スイッチ７１および印刷停止スイッチ７２を使用して、印刷された連続紙の先頭ページを印刷結果確認位置で停止させる場合の動作を説明する。
【００６２】
先ず、サブ操作パネル５２の印刷開始スイッチ７１が押下されると（ステップＳ５０１）、画像出力装置１からコントローラ２に印刷開始要求が送信される（ステップＳ５０２）。すると、コントローラ２では、印刷開始を予告する印刷開始指示を画像出力装置１に送信する（ステップＳ５０３）。そして、コントローラ２は、続けて印刷動作の準備を指示する印刷準備指示を画像出力装置１に送信する（ステップＳ５０４）。すると、画像出力装置１では、印刷動作を開始するための準備を行い、印刷準備が完了すると印刷準備完了通知をコントローラ２に返信する（ステップＳ５０５）。
【００６３】
この印刷準備完了通知を受信したコントローラ２では、先ず１ページ目の印刷を指示するための印刷指示を画像出力装置１に送信する（ステップＳ５０６）。すると、画像出力装置１では、受信した印刷指示に基づいて１ページ目の印刷処理を実行し、印刷処理が終了すると印刷完了通知をコントローラ２に送信する（ステップＳ５０７）。
【００６４】
そして、コントローラ２では、２ページ目の印刷を指示するための印刷指示を画像出力装置１に送信する（ステップＳ５０８）。すると、画像出力装置１では、受信した印刷指示に基づいて２ページ目の印刷処理を開始するが、印刷処理が完了する前に印刷停止スイッチ７２が押下される（ステップＳ５０９）。そのため、画像出力装置１からコントローラ２には印刷停止要求が送信される（ステップＳ５１０）。
【００６５】
そのため、２ページ目の印刷が完了して印刷完了通知が画像出力装置１からコントローラ２に送信された場合でも（ステップＳ５１１）、コントローラ２は、３ページ目の印刷を指示する印刷指示を画像出力装置１に送信しなくなる（ステップＳ５１２）。その結果、画像出力装置１では、印刷結果確認位置に先頭ページが到達した状態で印刷動作が停止することとなる。
【００６６】
この状態でユーザが印刷状態を目視にて確認して印刷位置ずれ等の問題が無ければ、印刷開始スイッチ７１を押すことにより印刷処理動作は再開される。
【００６７】
また、この印刷動作が停止した状態で所定時間が経過すると、印刷停止開始通知が画像出力装置１からコントローラ２に送信され（ステップＳ５１３）。その後画像出力装置１は、印刷停止完了通知をコントローラ２に送信して待機状態となる（ステップＳ５１４）。
【００６８】
このように印刷結果確認スイッチ６１を使用せずに２ページ分の印刷処理が完了した時点て印刷動作を停止させようとすると、画像出力装置１が２ページ目の印刷指示を受信してから、印刷完了通知をコントローラ２に返信するまでという限られた時間に印刷停止スイッチ７２を押下する必要がある。
【００６９】
次に、図１５を参照して、印刷結果確認スイッチ６１を使用して、サブ操作パネル５２の印刷開始スイッチ７１および印刷停止スイッチ７２を使用せずに、印刷された連続紙の先頭ページを印刷結果確認位置で停止させる場合の動作を説明する。
【００７０】
この図１５に示したシーケンスチャートでは、図１４に示したシーケンスチャートに対して、印刷開始スイッチ７１を押下するステップであるステップＳ５０１と、印刷停止スイッチ７２を押下するステップであるステップＳ５０９の処理を削除し、印刷結果確認スイッチ６１を押下するステップＳ６０１に置き換えたものである。そのため、以下の説明では、図１４のシーケンスチャートと異なる処理についてのみ説明を行なう。
【００７１】
印刷結果確認スイッチ６１を使用して印刷結果確認を行う場合、ユーザは、印刷開始スイッチ７１の替わりに印刷結果確認スイッチ６１を押下する（ステップＳ６０１）。すると、印刷開始要求が画像出力装置１からコントローラ２に送信される（ステップＳ５０２）。そして、ステップＳ５０３〜Ｓ５０８までの動作は、図１４に示したシーケンスチャートの動作と同様であるため、説明は省略する。
【００７２】
しかし、この図１５に示した場合では、画像出力装置１は、印刷結果確認スイッチ６１が押下されたことにより印刷結果確認モードとなっている。そのため、１ページ分の印刷指示を受信する毎に、印刷結果確認ページ数から１を減ずる処理が行われる。そして、２ページ目の印刷指示を画像出力装置１が受信するとこの印刷結果確認ページ数が０となり、画像出力装置１では、印刷停止スイッチ７２が押されていないにもかかわらず、印刷停止要求をコントローラ２に送信する（ステップＳ５１０）。このようにユーザが印刷結果確認スイッチ６１を印刷開始時に操作するだけで、印刷済みの連続紙の先頭ページは印刷結果確認位置に停止する。
【００７３】
なお、この印刷停止要求がコントローラ２に送信された後のステップＳ５１１〜Ｓ５１４の動作は、図１４に示した場合と同様であるため説明は省略する。
【００７４】
[変形例]
上記実施形態では、印刷結果確認スイッチ６１が押下されて印刷結果確認モードとなった場合、印刷されたページの先頭ページが印刷結果確認位置に停止して、その後印刷開始スイッチが押下されると後続の印刷処理が行われるものとして説明したが、本発明はこれに限定されるものではない。例えば、印刷されたページの先頭ページが印刷結果確認位置に停止した後、所定時間が経過する毎に１ページ分の印刷処理が行われるような間欠（間歇）印刷が行われるようにしてもよい。
【００７５】
このような間欠印刷を行う場合には、印刷処理部３３は、印刷結果確認スイッチ６１が押下されて印刷結果確認モードとなった場合、印刷開始から算出された印刷結果確認ページ数分の印刷処理が行われるとコントローラ２に対して印刷停止要求を送信した後、所定時間が経過するとコントローラ２に対して印刷開始要求および印刷停止要求を送信する処理を繰り返せばよい。
【００７６】
また、図１６に示すように、印刷結果確認スイッチ６１の近傍に印刷追加スイッチ６２を設けるようにしても良い。この印刷追加スイッチ６２は、先頭ページが印刷結果確認位置に停止した印刷停止状態からさらに所定頁数分の印刷処理を実行させるためのスイッチである。例えば、この印刷追加スイッチ６２を操作する毎に１ページ分の追加印刷が行われるような場合、印刷停止状態で印刷追加スイッチ６２を操作する毎に１ページ分の印刷が行われ、先頭ページ以外の後続ページが印刷結果確認位置に停止することとなる。
【符号の説明】
【００７７】
１    画像出力装置
２    コントローラ
１０    連続紙印刷システム
１１    ＣＰＵ
１２    メモリ
１３    記憶装置
１４    通信インタフェース（ＩＦ）
１５    ユーザインタフェース（ＵＩ）装置
１６    プリントエンジン
１７    制御バス
２０    端末装置
３０    ネットワーク
３１    印刷結果確認ページ数算出部
３２    設定部
３３    印刷処理部
５１    メイン操作パネル
５２    サブ操作パネル
６１    印刷結果確認スイッチ
６２    印刷追加スイッチ
７１    印刷開始スイッチ
７２    印刷停止スイッチ
８１    定着器
８２    上カバー
８３    左前カバー
８４    感光ドラム
８５    帯電器
８６    スイングスタッカ
【図１】
0005757090.tif 000002
【図２】
0005757090.tif 000003
【図３】
0005757090.tif 000004
【図４】
0005757090.tif 000005
【図５】
0005757090.tif 000006
【図６】
0005757090.tif 000007
【図７】
0005757090.tif 000008
【図８】
0005757090.tif 000009
【図９】
0005757090.tif 000010
【図１０】
0005757090.tif 000011
【図１１】
0005757090.tif 000012
【図１２】
0005757090.tif 000013
【図１３】
0005757090.tif 000014
【図１４】
0005757090.tif 000015
【図１５】
0005757090.tif 000016
【図１６】
0005757090.tif 000017